(57)【特許請求の範囲】
【請求項１】
静電容量式接触スイッチを使用した電子機器であって、
前記静電容量式接触スイッチは、
第１の面と第２の面を有する板或いはフィルム状の誘電体と、
前記誘電体の第１の面に設けられる所定面積のスイッチ領域と、
前記誘電体の第２の面に前記スイッチ領域に対応した位置及び形状に密接される電極パッドと、
前記スイッチ領域に手指が接触したか否かを静電容量の変化に基づいて検出する検出回路と、を備え、
前記電極パッドが前記一つのスイッチ領域に対して少なくとも２つに分割されており、
前記検出回路は
前記少なくとも２つに分割された電極パッドに対応する前記スイッチ領域のそれぞれに対して導電物質が接触したか否かを判定し、
すべての電極パッドに対応する前記スイッチ領域に所定の判定時間内において導電物質が接触したと判定した場合に前記スイッチ領域に手指が接触したと判定し、
前記静電容量式接触スイッチは、前記誘電体の前記第１及び第２の面が水平面に対して所定角度を成すように前記電子機器に組込まれ、
前記電極パッドが、前記第２の面内にあって、前記第２の面と水平面との接線に対して垂直な線に沿って少なくとも２分割される
ことを特徴とする静電容量式接触スイッチを使用した電子機器。
【請求項２】
前記電子機器が浴室用テレビ装置であることを特徴とする請求項１に記載の電子機器。
【発明の詳細な説明】
【技術分野】
【０００１】
本発明は、静電容量式接触センサを用いたスイッチに関するもので、特に、水等の導電性の高い物質（以下、「導電物質」という）がスイッチに付着した場合にそれをユーザの指先による接触であると誤って判定してしまうことを防止する機能を備えた静電容量式接触スイッチ、及びそれを使用した電子機器に関する。
【背景技術】
【０００２】
従来、静電容量式接触スイッチが広く使用されている。静電容量式接触スイッチは、誘電体と、誘電体の裏面に貼り付けた電極パッドとを含んでおり、誘電体の表面に指先を近づけると、誘電体を間に挟んだ状態で指先と電極パッドの間に生じる静電容量の変化を検出回路によって検出し、スイッチに指が接触したかそれとも離れているかを判定するものである。
【０００３】
しかしながら、静電容量式接触スイッチは、水等の導電物質がスイッチ部分、つまり誘電体表面のスイッチ領域に付着しただけでも静電容量が変化してしまうため、水等の付着をスイッチに対する手指の接触であると誤って判定してしまう可能性がある。
【０００４】
こうした誤検出を防止するための各種方法がこれまで開発されてきた。例えば、下記特許文献１（特開２００９−２５０８５７号公報）は、センサ表面に撥水（撥油）加工を施すことによって、センサ表面に水分や油分を付着しにくくし、仮に付着したとしても撥水（撥油）加工されているために水分や油分を分散させて流れ落ちやすくした「静電容量センサ」を開示している。この構造によって水滴による誤検出を防止することが可能となる。
【０００５】
さらに、下記特許文献２（特開２００８−１４１３２９号公報）は、オン、オフのスイッチ動作に必要なスイッチ電極と、その周辺に水等の導通性のある物質が付いた場合にこれを感知するための電極と、を配置したパターンを印刷した電極フィルムを誘電体に貼り付けて構成され、静電容量の変化を予め定められた閾値と比較することによって、指による操作なのかそれとも水等の導電物質が付着したことによるものなのかを判定する「静電容量型タッチスイッチ装置」を開示している。
【０００６】
さらに下記特許文献３（特開２００９−１１１９９６号公報）は、人差し指の大きさより一回り大きな直径の円形パターンとして形成されたスイッチ電極と、スイッチ電極の周囲を囲むように近接配置された略環状のダミー電極とを備えた、「接触センサ」を開示している。
【先行技術文献】
【特許文献】
【０００７】
【特許文献１】特開２００９−２５０８５７号公報
【特許文献２】特開２００８−１４１３２９号公報
【特許文献３】特開２００９−１１１９９６号公報
【発明の概要】
【発明が解決しようとする課題】
【０００８】
上記特許文献１〜３に開示された静電容量式接触スイッチはいずれも水等の導電物質による接触を手指による接触であると誤って検出することを防止する機能を備えているが、浴室のように水滴を直接に浴びる可能性がある環境下では、特許文献１のようにセンサ表
面を撥水加工するだけでは水滴等による誤検出を防止することは難しい。
【０００９】
また、上記特許文献２、３に開示された静電容量式接触スイッチにおいては、本来の電極の周囲に水検出用の電極を設けたり、ダミー電極を設けたりしなければならず、スイッチを構成する要素（部品）の増加や製造工数の増加につながるという問題点もあった。
【００１０】
従って、本発明の目的は、スイッチを構成する要素（部品）数を多くしたりせず簡単な構成であって、水等の導電物質が付着したとしてもそれを手指による接触であると誤検出することのない静電容量式接触スイッチを提供することである。
【課題を解決するための手段】
【００１２】
本発明の電子機器は、静電容量式接触スイッチを使用した電子機器であって、  前記静電容量式接触スイッチは、第１の面と第２の面を有する板或いはフィルム状の誘電体と、前記誘電体の第１の面に設けられる所定面積のスイッチ領域と、前記誘電体の第２の面に前記スイッチ領域に対応した位置及び形状に密接される電極パッドと、前記スイッチ領域に手指が接触したか否かを静電容量の変化に基づいて検出する検出回路と、を備え、前記電極パッドが前記一つのスイッチ領域に対して少なくとも２つに分割されており、前記検出回路は、前記少なくとも２つに分割された電極パッドに対応する前記スイッチ領域のそれぞれに対して導電物質が接触したか否かを判定し、すべての電極パッドに対応する前記スイッチ領域に所定の判定時間内において導電物質が接触したと判定した場合に前記スイッチ領域に手指が接触したと判定する。また、前記静電容量式接触スイッチは、前記誘電体の前記第１及び第２の面が水平面に対して所定角度を成すように前記電子機器に組込まれ、前記電極パッドが、前記第２の面内にあって、前記第２の面と水平面との接線に対して垂直な線に沿って少なくとも２分割される。
【００１３】
さらに、本発明の電子機器の一態様においは、前記電子機器が浴室用テレビ装置であることを特徴とする。
【発明の効果】
【００１４】
本発明の静電容量式接触スイッチによれば、以下の優れた効果を発揮する。すなわち、誘電体の第１の面にスイッチ領域を設け、第２の面には一つのスイッチ領域に対応した位置に少なくとも２つに分割された電極パッドを密接させる。そしてスイッチ領域に導電物質が接触した際に、電極パッドのそれぞれにおいて導電物質の接触を検出したか否かを判定し、所定の判定時間内において、全ての電極パッドにおいて導電物質の接触を検出した場合にスイッチ領域に対する手指の接触であると判定する。これにより、スイッチ領域以外の部分に誤検出防止用の電極を設けたりすることによってスイッチの構成要素（部品）数が増え、製造工数が増加するといったことなく簡単な構成によって誤検出を防止することができるようになる。
【００１５】
また、本発明の電子機器によれば、上述の静電容量スイッチが、誘電体の第１の面と第２の面が水平面に対して所定角度を成すようにした状態で電子機器に組込まれ、電極パッドが、第２の面内にあって、第２の面と水平面との接線に対して垂直な線に沿って少なくとも２分割される。このような構造によって、誘電体の第１の面に付着した水等の導電物質は重力によって下方に移動するが、このとき、水等は水平面との接線に対する垂線に沿って移動する。従って、水等の導電物質は水平方向には移動しないから、電極パッドをこの垂線に沿って２つ以上に分割しておき、所定の判定時間内において、全ての電極パッドにおいて導電物質の接触を検出した場合に手指による接触であると判定するようにすれば
、水等の導電物質による接触と手指による接触とを区別して判定できるようになり、誤検出の防止が可能となる。
【００１６】
さらに、本発明の電子機器の一態様によれば、上述の電子機器は浴室用テレビ装置である。この発明によれば、浴室等の水滴等を頻繁に浴びるような環境下で使用されるテレビ装置において、静電容量式接触スイッチに水等の導電性物質が付着しても、手指による接触であると誤って検出されてしまうことを防止できる。
【図面の簡単な説明】
【００１７】
【図１】実施例の浴室用テレビ装置を斜め前方から見た外観斜視図である。
【図２】図１の浴室用テレビ装置を、前面パネルを外した状態で斜め前方から見た分解斜視図である。
【図３】図１の浴室用テレビ装置を、第２のハウジングを取外すとともに静電容量式接触スイッチの部分を分解した状態を示す分解斜視図である。
【図４】実施例の浴室用テレビ装置において静電容量式接触スイッチの部分のみを抜き出した拡大図である。
【図５】実施例の浴室用テレビ装置の静電容量式接触スイッチを示す図であって、図５（ａ）は水等の導電物質が前面パネルに付着した際の部分拡大図、図５（ｂ）は指が前面パネルに接触した際の部分拡大図を示す。
【発明を実施するための形態】
【００１８】
以下、本願発明を実施するための最良の形態を実施例とともに図面を参照して詳細に説明する。ただし、以下に示す実施形態は、本発明の技術思想を具体化するための静電容量式接触スイッチ及びこれを使用した電子機器として浴室用テレビ装置を例示して説明するものであって、本発明をこの浴室用テレビ装置に特定することを意図するものではなく特許請求の範囲に示した技術思想を逸脱することなくその他の静電容量式接触スイッチ及びこれを使用した電子機器にも等しく適用し得るものである。
【実施例】
【００１９】
図１〜図５を参照して本実施例の浴室用テレビ装置について説明する。なお、図１は、実施例の浴室用テレビ装置を斜め前方から見た外観斜視図であり、図２は、図１の浴室用テレビ装置を、前面パネルを外した状態で斜め前方から見た分解斜視図であり、図３は、図１の浴室用テレビ装置を、第２のハウジングを取外すとともに静電容量式接触スイッチの部分を分解した状態を示す分解斜視図であり、図４は、実施例の浴室用テレビ装置において静電容量式接触スイッチの部分のみを抜き出した拡大図であり、実施例の浴室用テレビ装置の静電容量式接触スイッチを示す図であって、図５（ａ）は水等の導電物質が前面パネルに付着した際の部分拡大図、図５（ｂ）は指が前面パネルに接触した際の部分拡大図である。
【００２０】
図示した浴室用テレビ装置１０は、前側ハウジング１００と後側ハウジング２００、これらハウジング内部に設置される液晶ユニット５００、及び、この浴室用テレビ装置１０の動作を制御する制御回路（図示せず）、スイッチ用基板３００、静電容量式接触スイッチの制御を行うための制御基板４００を備えて構成される。
【００２１】
前側ハウジング１００は、上板１１０、下板１２０、左側板１３０、右側板１４０、及び矩形状の前面パネル１５０、を備えて構成され、これら５つの面によって形成される内部空間にはフレーム１７０が嵌め込まれている。フレーム１７０は上板１１０、下板１２０、左側板１３０、右側板１４０と一体に形成され、前面パネル１５０のみが取外し可能にフレーム１７０の前面に固定されるようにしてもよい。
【００２２】
フレーム１７０は、所定幅と高さと奥行きを有する直方体形状の部材であり、その上部には液晶ユニット用開口部１７１が形成され、ここに液晶ユニット５００が組込まれる。また、フレーム１７０の下部には、左右にスピーカ用開口部１７２Ａ、１７２Ｂが形成され、図示しないスピーカが取付けられる。また、スピーカ用開口部１７２Ａ、１７２Ｂの間には、基板載置部１７３が形成され、ここにスイッチ用基板３００が載置される。基板載置部１７３の右端部には、フレキシブルプリント基板用貫通孔（以下、ＦＰＣ用貫通孔という）１７４が設けられる。さらに、フレーム１７０の基板載置部１７３の裏側には、図示しない支持部が設けられ、制御基板４００が取付けられる。また、基板載置部１７３には、後述するＬＥＤ用貫通孔１７５が、やはり後述するスイッチ領域１６１〜１６５、スイッチ用基板３００のＬＥＤ用開口３３１〜３３６に対応する位置に設けられる。さらに、フレーム１７０の基板載置部１７３の左側方には、センサ用貫通孔１７６が形成される。
【００２３】
なお、本明細書においては、この浴室テレビ装置１０は前面パネル１５０の表面１５０Ａが水平面に対して所定角度の体勢に立てて使用される。好適には、前面パネル１５０が水平面に対して鉛直な体勢に立てて使用されるものとする。そこで、本明細書において、「幅方向」とは、第１のハウジング１００に当てはめて言えば左側板１３０を起点として右側板１４０に向かう方向（左右側板の法線方向）のことであり、「高さ方向」とは下板１２０を基点として上板１１０に向かう方向（水平面に対する垂直方向）のことであり、「奥行き方向」とは前面パネル１５０の法線方向のことをいうものとする。
【００２４】
第２のハウジング２００は、上板２１０、下板２２０、左側板（図示せず）、右側板２４０、背板２５０を備えて構成され、内部に液晶ユニット５００や図示しない制御回路等を受入れる所定空間を構成する。組立て時に、第１のハウジング１００と第２のハウジング２００が相互に組合されるが、第１のハウジング１００の上板１１０、下板１２０、左側板１３０、右側板１４０のそれぞれ内側に第２のハウジング２００の上板２１０、下板２２０、左側板、右側板２４０がシールリング等のパッキンを介在させて挿入され、内部を密閉する。
【００２５】
前面パネル１５０は、フレーム１７０の前面に固定される。前面パネル１５０はガラスやアクリル樹脂等の誘電体材料で形成された板状の部材である。前面パネル１５０の上部には、フレーム１７０の液晶ユニット用開口部１７１の位置に対応した位置に表示領域１５１が設けられる。この表示領域１５１は、前面パネル１５０の裏面１５０Ｂに、全体にわたって黒色フィルム等の不透明なフィルムを貼付けしておき、表示領域１５１の部分だけこの黒色フィルムを貼付けない透明領域とすることによって形成される。それで、表示領域１５１の後方に位置する液晶ユニット５００の映像は、透明な表示領域１５１を透過して視認できる。
【００２６】
前面パネル１５０の下部の左右両側には、小さな開口が複数設けられ、スピーカ領域１５２Ａ、１５２Ｂを構成している。このスピーカ領域１５２は、フレーム１７０に設けられたスピーカ用開口部１７２Ａ、１７２Ｂの位置に対応した位置に形成されており、スピーカ用開口部１７２Ａ、１７２Ｂに取付けられたスピーカ（図示せず）の音を外部に発音させる。
【００２７】
左右のスピーカ領域１５２Ａ、１５２Ｂの間には、操作部１６０が設けられる。操作部１６０は、音量調整スイッチ領域１６１、１６２、チャンネル選択スイッチ領域１６３、１６４、ソース選択スイッチ領域１６５、電源スイッチ領域１６６から構成される。これら各領域は、円形、或いは矩形状の領域であり、その領域の中央部分には、前面パネル１５０の裏面１５０Ｂに貼り付けられた黒色フィルムを所定文字や記号の形状にカッティングすることによって、黒地を背景として文字や記号部分が透明なシンボルマーク部分が設
けられる。
【００２８】
これらの各領域は、指先の大きさ程度に形成される。また、各領域に形成される所定文字や記号でなるシンボルマーク部分は各スイッチ領域よりも若干小さく形成される。これにより、各シンボルマーク部分を指で接触した際に、シンボルマーク部分だけでなく、スイッチ領域のほとんどの部分が指先と接触されるようにする。
【００２９】
本実施例では、音量調整スイッチ領域１６１、チャンネル選択スイッチ領域１６３には、「Ｖ」字形状のシンボルマークが形成され、音量調整スイッチ領域１６２、チャンネル選択スイッチ領域１６４には「Ｖ」を上下逆さまにした形状のシンボルマークが形成され、ソース選択スイッチ領域１６５には四角形を２つ重ねたシンボルマークが形成され、電源スイッチ領域１６６には円に棒を重ね合わせ、電源のオンオフをイメージしたシンボルマークが形成されている。
【００３０】
フレーム１７０の基板載置部１７３には、スイッチ用基板３００が載置される。スイッチ用基板３００の表面には、電極パッド３２１〜３２６が形成される。それぞれの電極パッド３２１〜３２６は、前面パネル１５０の表面１５０Ａに形成された各スイッチ領域１６１〜１６６に対応した位置に形成され、その形状、及び大きさも、各スイッチ領域の形状に対応しており、円形、或いは矩形状に形成される。それぞれの電極パッド３２１〜３２６は、銀ペースト、或いは導電性プラスティックフィルム等の導電物質で形成される。
【００３１】
組立て時に、スイッチ用基板３００はフレーム１７０の基板載置部１７３に載置された状態で前面パネル１５０の裏面１５０Ｂに貼り付けられ、それによって各電極パッド３２１〜３２６は前面パネル１５０の各スイッチ領域１６１〜１６６の裏面に密着させられる。
【００３２】
それぞれの電極パッド３２１〜３２６は、図４に示すように、第１電極パッド３２１Ａ〜３２６Ａと第２電極パッド３２１Ｂ〜３２６Ｂによって構成される。すなわち、一つのスイッチ領域に対応する電極パッドは２つに分割されている。つまり、音量調整スイッチ領域１６１について説明すると、音量調整スイッチ領域１６１に対応する電極パッド３２１は、第１電極パッド３２１Ａと第２電極パッド３２１Ｂに分割される。特に、本実施例では、浴室テレビ装置１０の前面パネル１５０は水平面に対して鉛直な体勢に立てて使用されるが、各電極パッド３２１〜３２６は、その体勢のときにスイッチ用基板３００の面内にあり、且つ前面パネル１５０と水平面との接線に対して垂直な線に沿って左右に２つに分割される。
【００３３】
各電極パッド３２１〜３２６の中央には、それぞれ電極パッドとスイッチ用基板３００とを貫通するＬＥＤ用開口３３１〜３３６が形成される。スイッチ用基板３００の端部にはフレキシブルプリント基板３１０が接続される。フレキシブルプリント基板３１０は、折り曲げられて基板載置部１７３の端部に形成されたＦＰＣ用貫通孔１７４を貫通してフレーム１７０の裏側に取付けられた制御基板４００に接続される。
【００３４】
制御基板４００は、本実施例において使用される静電容量式接触スイッチへの接触検出制御を行うためのものであり、基板上には、接触を検出するための電子回路（図示せず）が設けられている。さらに、制御基板４００上には、前面パネル１５０の各スイッチ領域１６１〜１６６及びスイッチ用基板３００に形成されたＬＥＤ用開口３３１〜３３６、及びフレーム１７０の基板載置部１７３に形成されたＬＥＤ用貫通孔１７５の位置と対応する位置にＬＥＤ４１１〜４１６が配置される。
【００３５】
ＬＥＤ４１１〜４１６は、例えば白色ＬＥＤである。ＬＥＤが点灯すると、その光はフ
レーム１７０の基板載置部１７３の各ＬＥＤ用貫通孔１７５、スイッチ用基板３００のＬＥＤ用開口３３１〜３３６を介して前面パネル１５０の裏面１５０Ｂに照射され、裏面１５０Ｂに貼り付けられた黒色フィルムのない部分だけ表面１５０Ａに光を透過させることによって、各スイッチ領域１６１〜１６６の文字や記号が光って見えるようにされる。
【００３６】
さらに、制御基板４００には赤外線センサ４２０が配置される。赤外線センサ４２０はフレーム１７０のセンサ用貫通孔１７６の位置と対応する位置に形成され、リモートコントローラ（図示せず）から発信された赤外線制御信号を検出し、図示しない制御回路に出力する。
【００３７】
上記に説明した浴室テレビ装置１０における操作部１６０の動作について以下に説明する。なお、以下の説明においては、操作部１６０を構成する各スイッチ領域１６１〜１６６に対する接触を検出する動作は、検出後における制御が異なるだけで、検出そのものの動作はいずれも同じであるので、音量調整スイッチ領域１６１に対する接触の検出のみについて説明し、他のスイッチ領域１６２〜１６６に対する接触の検出についての説明は省略する。
【００３８】
図５（ａ）に示すように、前面パネル１５０の表面１５０Ａに設けられた音量調整スイッチ領域１６１に水滴Ｗが付着したとする。ここで水滴Ｗは、音量調整スイッチ領域１６１の左側の一部に付着したとする。水は導電物質であるから、水滴Ｗと前面パネル１５０を介して第１電極パッド３２１Ａによってコンデンサが形成され、静電容量が変化する。この変化を制御基板４００の電子回路によって検出することによって、音量調整スイッチ領域１６１の第１電極パッド３２１Ａ側に導電物質が接触したと判定することができる。
【００３９】
しかしながら、水滴Ｗは音量調整スイッチ領域１６１の右側には付着していないから、第２電極パッド３２１Ｂ側では静電容量が変化せず、音量調整スイッチ領域１６１の第２電極パッド３２１Ｂ側には導電物質が接触していないと判定される。
【００４０】
音量調整スイッチ領域１６１の第１電極パッド３２１Ａ側には導電物質が接触したと判定される一方で、第２電極パッド３２１Ｂ側には導電物質が接触していないから、この接触はユーザの指による接触ではないと判定する。
【００４１】
また、前面パネル１５０の表面１５０Ａに水滴Ｗが付着したとしても、重力によって下方に流れ落ちる。このとき、電極パッド３２１は鉛直方向の線に沿って第１電極パッド３２１Ａと第２電極パッド３２１Ｂに分割されているため、これら両方の電極パッドにまたがって水滴Ｗが移動することがない。従って、水滴Ｗが移動しても、ユーザの指による接触であると誤って判定されることがない。
【００４２】
一方、図５（ｂ）に示すように、前面パネル１５０の表面１５０Ａに設けられた音量調整スイッチ領域１６１にユーザの指先Ｆが接触したとする。スイッチ領域はユーザの指先と略同じ大きさであるので、ユーザの指先Ｆはスイッチ領域の略全体にわたって接触する。すると、指先Ｆと前面パネル１５０を介して第１電極パッド３２１Ａとの間にコンデンサが形成され、静電容量が変化する。この変化を制御基板４００の電子回路によって検出することによって、音量調整スイッチ領域１６１の第１電極パッド３２１Ａ側に導電物質が接触したと判定できる。
【００４３】
さらに、指先Ｆと前面パネル１５０を介して第２電極パッド３２１Ｂとの間にコンデンサが形成され、静電容量が変化する。この変化を制御基板４００の電子回路によって検出することによって、音量調整スイッチ領域１６１の第２電極パッド３２１Ｂ側にも導電物質が接触したと判定できる。
【００４４】
音量調整スイッチ領域１６１の第１電極パッド３２１Ａにおいても第２電極パッド３２１Ｂにおいても導電物質が接触したと判定されるので、制御基板４００の電子回路は、これをユーザの指先による接触であると判定する。この判定は厳密に同一時刻で行われる必要はなく、所定の判定時間の中で第１電極パッド３２１Ａにおいても第２電極パッド３２１Ｂにおいても導電物質が接触したと判定されればよい。
【００４５】
以上、説明したとおり、本実施例では、一つのスイッチ領域に対応する電極パッドを２つに分割し、その両方側に対応するスイッチ領域に対して導電物質が接触したと判定された場合に、指先による接触であると判定し、一方の電極パッドのみに対応するスイッチ領域に対して導電物質が接触したと判定されただけでは指先による接触ではないと判定し、何らの動作も行わない。
【００４６】
そうすることにより、前面パネル１５０の表面１５０Ａに水滴等の導電物質が付着しても、この付着を指先による接触であると誤って判定してしまうことを防止することができる。
【００４７】
なお、上記実施例では、分割されたそれぞれの電極パッドに対応する領域に対して導電物質が接触したか否かの判定を制御基板４００において行い、さらに、一つのスイッチ領域に対応する電極パッドの全ての部分に対応する部分への接触が検出されているか否かの判定も制御基板４００において行う点について説明した。しかし、本発明はこれに限られない。例えば、この静電容量式スイッチが、浴室テレビ装置１０のような電子装置に組み込まれている場合には、通常、マイコン等の制御回路が組込まれている。そこで、上記制御基板４００で行っていた判定を、その制御回路によって行なわれるようにしてもよい。その場合、電子装置に組込まれる制御回路は検出手段を備えており、検出手段は、分割されたそれぞれの電極パッドに対応する領域に対して導電物質が接触したか否か判定を行うとともに、一つのスイッチ領域に対応する電極パッドの全てに対応する部分への導電物質の接触を同時に検出したか否かを判定する。
【００４８】
なお、上記実施例では、一つのスイッチ領域に対応する電極パッドを２つに分割した場合を例示として説明したが、本発明はこれに限定されず、電極パッドを３つ以上に分割してもよい。その場合、分割された電極パッドに対応する全てのスイッチ領域に対して導電物質が接触したと判定された場合にのみ指先による接触であると判定する。或いは、予め設定された数の電極パッドに対応するスイッチ領域に対して導電物質が接触したと判定される場合にのみ指先による接触であると判定するようにしてもよい。
【００４９】
なお、上記実施例においては、静電容量式接触スイッチを浴室テレビ装置に適用した場合を説明したが、本発明はこれに限られず、他の電子機器に応用することが可能である。
【符号の説明】
【００５０】
１０      浴室テレビ装置１０
１００      第１のハウジング
１１０      上板
１２０      下板
１３０      左側板
１４０      右側板
１５０      前面パネル
１５０Ａ    表面
１５０Ｂ    裏面
１６０      操作部
１６１、１６２      音量調整スイッチ領域
１６３、１６４      チャンネル選択スイッチ領域
１６５      ソース選択スイッチ領域
１６６      電源スイッチ領域
１７０      フレーム
１７１      液晶ユニット用開口部
１７２Ａ、１７２Ｂ      スピーカ用開口部
１７３      基板載置部
１７４      ＦＰＣ用貫通孔
１７５      ＬＥＤ用貫通孔
１７６      センサ用貫通孔
２００      第２のハウジング
２１０      上板
２２０      下板
２４０      右側板
２５０      背板
３００      スイッチ用基板
３１０      フレキシブルプリント基板
３２１〜３２６      電極パッド
３２１Ａ〜３２６Ａ      第１電極パッド
３２１Ｂ〜３２１Ｂ      第２電極パッド
３３１〜３３６      ＬＥＤ用開口
４００      制御基板
４１１〜４１６      ＬＥＤ
４２０      赤外線センサ
５００      液晶ユニット
【図１】
0005799404.tif 000002
【図２】
0005799404.tif 000003
【図３】
0005799404.tif 000004
【図４】
0005799404.tif 000005
【図５】
0005799404.tif 000006